(57)【要約】【課題】スポーツまたはショーを観にきた観客に、観客の動画または静止画を提供する。【解決手段】画像提供システム１０は撮影部１１と、撮影部１１で撮影した動画を映すスクリーン１５と、画像データ管理システム２０とを備えている。画像データ管理システム２０の画像生成部２４は撮影部１１で得られた動画から、観客Ｐの動画または静止画の生成画像を生成する。【選択図】図１
2020061719.tif 000002
【特許請求の範囲】
【請求項１】
スポーツまたはショーを観にきた観客に動画または静止画を提供する画像提供システムにおいて、
観客を撮影して動画を得る撮影部と、
前記撮影部で撮影された動画を映すスクリーンと、
前記撮影部および前記スクリーンに接続された画像データ管理システムとを備え、
前記画像データ管理システムは、外部との送受信を行う送受信部と、画像データを記憶する記憶部と、前記記憶部内の前記撮影部で得られた動画から観客へ提供すべき動画または静止画の生成画像を作製する画像生成部とを備えた画像提供システム。
【請求項２】
前記画像データ管理システムは前記記憶部内の前記撮影部で得られた動画を画像処理して判定画像データを生成する画像処理部と、この画像処理部で生成された判定画像データと、予め定められた参照画像データとに基づいて前記撮影部による撮影を続行するか否か判定する判定部とを有する、請求項１記載の画像提供システム。
【請求項３】
前記参照画像データは所定時間内に実行される、予め定められた規則に沿ったポーズを含む、請求項２記載の画像提供システム。
【請求項４】
前記参照画像データは顔判定データを含む、請求項２記載の画像提供システム。
【請求項５】
前記画像データ管理システムは、前記判定部による判定結果を前記撮影部近傍の通知手段に通知する判定結果通知部を有する、請求項２乃至４のいずれか記載の画像提供システム。
【請求項６】
前記画像データ管理システムは、前記撮影部による撮影終了の表示を前記スクリーンに表す撮影終了表示部を有する、請求項２乃至５のいずれか記載の画像提供システム。
【請求項７】
前記画像生成部は、観客の座席と関連するＩＤ情報と関連付けられた生成画像を作製する、請求項１乃至６のいずれか記載の画像提供システム。
【請求項８】
前記画像生成部で作製された前記生成画像は、前記画像データ管理システムの画像提供部からＩＤ情報を提供する観客に提供される、請求項７記載の画像提供システム。
【請求項９】
前記画像生成部で作製された生成画像は、前記画像データ管理システムからサーバへ送られ、観客が前記サーバに対して前記観客のＩＤ情報を含む注文情報を送った際、前記サーバのサーバ画像提供部から提供される、請求項８記載の画像提供システム。
【請求項１０】
観客の顔画像を得る顔認証カメラを更に備え、前記画像データ管理システムは前記顔認証カメラからの顔画像と、前記生成画像とを比較する顔認証部を有し、前記顔画像と前記生成画像の顔部分が一致した場合に、前記画像データ管理システムの画像提供部から前記生成画像が提供される、請求項１乃至７のいずれか記載の画像提供システム。
【発明の詳細な説明】
【技術分野】
【０００１】
本開示の実施の形態は、スポーツまたはショーを観にきた観客に、この観客の動画または静止画の生成画像を提供する画像提供システムに関する。
【背景技術】
【０００２】
従来よりスポーツまたはショーを観にきた観客を撮影し、この画像を休憩時間や中断時に、スタジアムに設置したスクリーンに映すサービスが行われている。スクリーンに映し出された観客にとっては興奮するサービスではあるが、その場限りのサービスであり、何かに残すことはしていないのが実情である。
【先行技術文献】
【特許文献】
【０００３】
【特許文献１】特開２００１−６１９３号公報
【特許文献２】特開２００３−２８４０４７号公報
【発明の概要】
【発明が解決しようとする課題】
【０００４】
本開示の実施の形態はこのような点を考慮してなされたものであり、スポーツまたはショーを観にきた観客を撮影して、この観客に、観客の動画または静止画の生成画像を提供することができる画像提供システムを提供することを目的とする。
【課題を解決するための手段】
【０００５】
本開示の実施の形態は、スポーツまたはショーを観にきた観客に動画または静止画を提供する画像提供システムにおいて、観客を撮影して動画を得る撮影部と、前記撮影部で撮影された動画を映すスクリーンと、前記撮影部および前記スクリーンに接続された画像データ管理システムとを備え、前記画像データ管理システムは、外部との送受信を行う送受信部と、画像データを記憶する記憶部と、前記記憶部内の前記撮影部で得られた動画から観客へ提供すべき動画または静止画の生成画像を作製する画像生成部とを備えた画像提供システムである。
【０００６】
本開示の実施の形態は、前記画像データ管理システムは前記記憶部内の前記撮影部で得られた動画を画像処理して判定画像データを生成する画像処理部と、この画像処理部で生成された判定画像データと、予め定められた参照画像データとに基づいて前記撮影部による撮影を続行するか否か判定する判定部とを有する、画像提供システムである。
【０００７】
本開示の実施の形態は、前記参照画像データは所定時間内に実行される、予め定められた規則に沿ったポーズを含む、画像提供システムである。
【０００８】
本開示の実施の形態は、前記参照画像データは顔判定データを含む、画像提供システムである。
【０００９】
本開示の実施の形態は、前記画像データ管理システムは、前記判定部による判定結果を前記撮影部近傍の通知手段に通知する判定結果通知部を有する、画像提供システムである。
【００１０】
本開示の実施の形態は、前記画像データ管理システムは、前記撮影部による撮影終了の表示を前記スクリーンに表す撮影終了表示部を有する、画像提供システムである。
【００１１】
本開示の実施の形態は、前記画像生成部は、観客の座席と関連するＩＤ情報と関連付けられた生成画像を作製する、画像提供システムである。
【００１２】
本開示の実施の形態は、前記画像生成部で作製された生成画像は、前記画像データ管理システムの画像提供部からＩＤ情報を提供する観客に提供される、画像提供システムである。
【００１３】
本開示の実施の形態は、前記画像生成部で作製された生成画像は、前記画像データ管理システムからサーバへ送られ、観客が前記サーバに対して観客のＩＤ情報を含む注文情報を送った際、前記サーバのサーバ画像提供部から提供される、画像提供システムである。
【００１４】
本開示の実施の形態は、観客の顔画像を得る顔認証カメラを更に備え、前記画像データ管理システムは前記顔認証カメラからの顔画像と、前記生成画像とを比較する顔認証部を有し、前記顔画像と前記生成画像が一致した場合に、前記画像データ管理システムの画像提供部から前記生成画像が提供される、画像提供システムである。
【発明の効果】
【００１５】
本開示の実施の形態によれば、スポーツまたはショーを観にきた観客を撮影して、この観客に観客の動画または静止画の生成画像を提供することができる。
【図面の簡単な説明】
【００１６】
【図１】図１は本実施の形態に係る画像提供システムの全体を示す概略図である。
【図２】図２は本実施の形態に係る画像提供システムのスクリーンの表示の一例を示す図である。
【図３】図３は本実施の形態に係る画像提供システムの顔認証システムを示す図である。
【図４】図４は生成画像を含む集合画像を示す図である。
【図５】図５は本実施の形態に係る画像提供システムのブロック構成図である。
【図６】図６は本実施の形態に係る画像提供システムの作用を説明するフローチャートである。
【発明を実施するための形態】
【００１７】
以下、本実施の形態による画像提供システムを図面に基づいて説明する。
【００１８】
本実施の形態による画像提供システムは、スポーツまたはショーを観にきた観客に、観客の動画または静止画の生成画像を提供するものである。
【００１９】
この場合、観客Ｐは例えば、スタジアム５のスタンドＳにおいて、サッカーを観戦しており、本実施の形態による画像提供システム１０はサッカーゲームの休憩時間または中断時にスクリーン１５上に観客を撮影して得られた動画を映すとともに、スクリーン１５上に映された動画から観客Ｐへ提供すべき動画または静止画の生成画像を作製する。
【００２０】
このような画像提供システム１０は、図１に示すように、スポーツまたはショー、例えばサッカーを観るためスタジアム５のスタンドＳに座る観客Ｐを撮影して動画を得る撮影部（撮影カメラ）１１と、撮影部１１で撮影された画像を映すとともにスタジアム５に設置されたスクリーン１５と、撮影部１１とスクリーン１５とに接続されるとともにスタジアム５に設置された画像データ管理システム２０とを備えている。
【００２１】
また画像データ管理システム２０には、後述するプリンタ１３と通知手段１６とが接続されている。さらに画像データ管理システム２０には後述する顔認証カメラ１４ａを含む顔認証システム１４が接続されている。また画像データ管理システム２０には、サーバ３０が接続されている。
【００２２】
このうち、通知手段１６は、撮影部１１を操作するカメラマンに対して後述のように撮影部１１による観客Ｐの撮影を続行するか否かの通知をするものである。また顔認証システム１４は観客Ｐを撮影する顔認証カメラ１４ａを含み、この顔認証カメラ１４ａで撮影された顔画像を画像データ管理システム２０側へ送り、この画像データ管理システム２０内で観客Ｐの顔認証を行うものである。また画像データ管理システム２０に接続されたサーバ３０は、サーバ記憶部３２と、サーバ画像提供部３３とを有する。
【００２３】
次に撮影部１１について説明する。上述のように撮影部１１はスタジアム５内に設置されたカメラからなり、スタジアム５のスタンドＳに座ってサッカーを観戦する観客Ｐの動画を撮影するものである。撮影部１１で撮影された動画は、画像データ管理システム２０へ送られるようになっている。
【００２４】
また画像データ管理システム２０に接続されたプリンタ１３は、画像データ管理システム２０の画像生成部２４で作製された静止画の生成画像から写真等のプリント物を作製するものであり、スタジアム５内に設置されている。
【００２５】
次に画像データ管理システム２０について更に説明する。  
上述のように、画像データ管理システム２０には、撮影部１１と、スクリーン１５と、プリンタ１３と、通知手段１６と、顔認証システム１４と、サーバ３０とが接続されている。このような画像データ管理システム２０は、図５に示すように、外部との送受信を行う送受信部２１と、静止画および動画を含む画像データを記憶する記憶部２２と、撮影部１１により撮影され、記憶部２２に記憶された画像データ中の動画から、観客Ｐへ提供する動画または静止画の生成画像を作製する画像生成部２４とを有する。さらに、画像生成部２４には、画像生成部２４で作製された生成画像を外部へ提供する画像提供部２５が接続されている。
【００２６】
また画像データ管理システム２０は、記憶部２２内の撮影部１１で得られた動画を画像処理して判定画像データを生成する画像処理部２３Ａと、画像処理部２３Ａで生成された判定画像データと予め定められた参照画像データとに基づいて、撮影部１１による撮影を続行するか否か判定する判定部２３Ｂとを有する。
【００２７】
また判定部２３Ｂにより判定された判定結果は、画像データ管理システム２０の判定結果通知部２３Ｃを介して撮影部１１近傍にある通知手段１６へ送られ、通知手段１６からカメラマンに対して撮影部１１による撮影を続行するか否か通知する。
【００２８】
本実施の形態において、通知手段１６は例えば、撮影部１１を操作するカメラマンが持つ携帯端末からなっている。
【００２９】
また画像データ管理システム２０は、撮影部１１による撮影が終了した場合、この撮影終了の表示をスクリーン１５に表す撮影終了表示部２３Ｄを有する。また画像データ管理システム２０は、顔認証システム１４の顔認証カメラ１４ａにより得られた観客Ｐの顔画像と、画像生成部２４で生成された生成画像の顔部分Ｐ１とを比較して、顔認証カメラ１４ａにより撮影された観客Ｐが生成画像に対応する観客であるか否か判定する顔認証部２６を有する。
【００３０】
ところで図５に示す画像データ管理システム２０のうち、記憶部２２は画像データ管理システム２０が各種の処理を実行するために必要なプログラムやデータ等を記憶する機能をもち、撮影部１１で撮影された動画が記憶される。この場合、撮影部１１は観客Ｐを撮影するとともに、観客Ｐが座る座席の情報（ＩＤ情報）も取得することができる。撮影部１１はこのとき観客Ｐの動画とともに、このＩＤ情報を画像データ管理システム２０へ送ることができる。さらに記憶部２２には画像生成部２４において作製された観客Ｐの動画または静止画の生成画像が格納される。
【００３１】
画像生成部２４は、上述のように撮影部１１で撮影され記憶部２２に格納された観客Ｐの動画を用いて、観客Ｐの動画または静止画の生成画像を作製するものであり、画像生成部２４で作製された生成画像は記憶部２２へ送られて格納される。この場合、生成画像の静止画あるいは動画は、撮影部１１で撮影された動画を切り取って作製される。
【００３２】
次にこのような構成からなる本実施の形態の作用について図６に示すフローチャートにより説明する。  
まずサッカーを観戦するためにスタジアム５にきた観客ＰはスタンドＳの所定の座席に座って観戦する。サッカーゲームの休憩時間または中断時に、撮影部１１により、スタンドＳに座る観客Ｐを撮影する。撮影部１１により得られた動画は画像データ管理システム２０に送られ、送受信部２１から記憶部２２に送られて記憶される。
【００３３】
この間、画像データ管理システム２０は記憶部２２に格納された観客Ｐの動画をスクリーン１５に映し出す。
【００３４】
スタジアム５にいる観客Ｐは、スクリーン１５に映し出された観客Ｐの動画をみることができ、とりわけ映し出された観客Ｐ本人はスクリーン１５上に自分の動画が映し出されていることを確認できる。
【００３５】
なお、撮影部１１から画像データ管理システム２０へ送られる観客Ｐの動画は、観客Ｐの座席番号等のＩＤ情報を含む。
【００３６】
次に画像データ管理システム２０の画像処理部２３Ａにおいて、記憶部２２に格納され撮影部１１により得られた動画を読み出し、この動画を画像処理することにより判定画像データを生成する。そして判定部２３Ｂにおいて、画像処理部２３Ａにおいて生成された判定画像データと予め定められた参照画像データとが照合され、撮影部１１による撮影を続行するか否かを判定する。
【００３７】
具体的には判定部２３Ｂで用いる参照画像データは、所定時間内に実行されるべき予め定められた規則に沿ったポーズを含む。このような予め定められた規則に沿ったポーズとは、例えばサッカーチームがウサギのマスコットキャラクタをもつ場合、観客が実行するウサギの耳を模したポーズが挙げられる（図２参照）。あるいは予め定められた規則に沿ったポーズとしては、カップルの観客を対象として、カップルの観客が作成するハートマークのボーズが挙げられる。あるいは観客Ｐが携帯端末を用いて特定の画面を表示した場合、予め定められた規則に沿ったポーズは、この特定の画面を表示する携帯端末を示すポーズであってもよい。
【００３８】
あるいは予め定められた規則に沿ったポーズとしては、観戦するサッカーゲームのスポンサーが販売する清涼飲料のペットボトルを提示するポーズであってもよい。
【００３９】
判定部２３Ｂは、撮影部１１で撮影された動画を画像処理部２３Ａで画像処理して得られた判定画像データと、参照画像データとを照合する。そして判定部２３Ｂは所定時間内に判定画像データが参照画像データと一致しない場合、すなわち撮影部１１で撮影した観客Ｐが所定のポーズを所定時間内に取らない場合、例えば所定のポーズが２本指を示すポーズにもかかわらず観客Ｐが１本指を示した場合（図１参照）、撮影部１１による当該観客Ｐの撮影を中止して、撮影部１１は他の観客Ｐの撮影を始め、上述した手順を繰り返す。
【００４０】
他方、所定時間内に判定画像データが参照画像データと一致した場合、すなわち撮影部１１で撮影した観客Ｐが所定のポーズを所定時間内に取った場合、例えば２本指を示すポーズを取った場合、撮影部１１は観客Ｐに対する撮影を続行する。
なお、観客Ｐが所定のポーズを取って観客Ｐを撮影した後、撮影部１１は、所定時間内は観客Ｐの撮影を続行しても良いし、観客Ｐの撮影を終了して次の観客の撮影を開始しても良い。
【００４１】
なお、判定部２３Ｂで使用される参照画像データとしては、所定時間内に実行されるべき予め定められた規則に沿ったポーズに限ることはなく、例えば予め決められた年代層、性別を含んでいてもよい。具体的には参照画像データが特定の年齢増の画像データを含む場合、撮影部１１はこの特定の年齢層の観客の撮影を続行してもよい。
【００４２】
このように判定部２３Ｂが撮影部１１による撮影を続行するか否か判定し、判定部２３Ｂによる判定結果は、判定結果通知部２３Ｃからカメラマンの携帯端末等の通知手段１６へ送られる。このようにして通知手段１６により撮影部１１の撮影の続行又は中止を撮影部１１を操作するカメラマンに通知することができ、カメラマンは上述のように当該観客Ｐの撮影を続行するか、又はこの撮影を中止して他の観客Ｐの撮影を開始する。
【００４３】
なお、判定部２３Ｂが用いる参照画像データ中のポーズは、予めスタジアムに来る観客Ｐに周知しておくことが好ましいが、あるいは画像データ管理システム２０からこのポーズを「本日のポーズ」としてスクリーン１５上に映し出しておき、この「本日のポーズ」を観客Ｐに周知しておいてもよい。
【００４４】
また判定部２３Ｂにより撮影部１１による撮影の続行が判定され、撮影部１１による撮影が終了した場合、撮影終了表示部２３Ｄからスクリーン１５に「成功」等の文字が映し出されて、撮影部１１により撮影された観客Ｐは、撮影部１１による撮影の終了を確認することができる。
【００４５】
以上のようにして撮影部１１から画像データ管理システム２０側へ観客Ｐの動画が観客Ｐの座るＩＤ情報とともに送られる。その後、画像データ管理システム２０の画像生成部２４は、記憶部２２に記憶された画像データのうち動画データを切り取り、動画または静止画の生成画像を作製する。この場合、作製された生成画像データは観客ＰのＩＤ情報と関連付けられたデータとなっている。
【００４６】
画像生成部２４において作製された動画または静止画を含む生成画像は、記憶部２２内に格納される。
【００４７】
例えば、画像生成部２４において作製された生成画像が静止画を含む場合、記憶部２２内に格納された生成画像は画像提供部２５からプリンタ１３側へ送られ、このプリンタ１３によって、写真等のプリント物を作製することができる。このプリント物は、撮影部１１で撮影された観客ＰのＩＤ情報を含んでいる。撮影部１１で撮影された観客Ｐは、サッカーゲームの終了後にスタジアム５の受付へ出向き、自分のＩＤ情報を含むチケットを提示することにより、上述したプリント物を入手することができる。
【００４８】
あるいはまた、撮影部１１から画像データ管理システム２０へ送られる動画は必ずしも観客ＰのＩＤ情報をもたなくてもよい。この場合、観客Ｐは顔認証システム１４の前に立って顔認証カメラ１４ａにより撮影され観客Ｐの顔画像が得られる（図３参照）。顔認証カメラ１４ａにより得られた顔画像は画像データ管理システム２０へ送られ、画像データ管理システム２０内の顔認証部２６において顔画像と生成画像の顔部分Ｐ１とが比較される。そして顔認証部２６において顔画像と生成画像の顔部分Ｐ１とが一致したと判断された場合、画像データ管理システム２０の記憶部２２内の生成画像は、画像提供部２５からプリンタ１３側へ送られる。そしてこのプリンタ１３によりプリント物が作製され、当該観客Ｐに渡される。
撮影部１１から画像データ管理システム２０へ送られる動画は、必ずしも観客ＰのＩＤ情報をもたなくてもよい。この場合、画像データ管理システム２０は、どの座席を撮影したものか動画・静止画から判定する判定機能をもち、この判定機能が、動画に対してＩＤ情報を付与することもできる。
【００４９】
以上のように本実施の形態によれば、スポーツまたはショーを観にきた観客Ｐを撮影部１１で撮影し、撮影部１１で撮影された観客の動画に基づいて、観客の動画または静止画からなる生成画像を作製し、この生成画像をユーザＰに提供することができる。
【００５０】
なお、上記実施の形態において、画像データ管理システム２０の画像生成部２４で作製された生成画像を画像提供部２５からプリンタ１３側へ送り、このプリンタ１３により写真等のプリント物を作製する例を示したが、これに限らず、画像データ管理システム２０から生成画像をサーバ３０へ送ってもよい。
【００５１】
サーバ３０に送られた生成画像は、動画または静止画の生成画像からなり、観客ＰのＩＤ情報を含むとともに、サーバ３０のサーバ記憶部３２内へ格納される。その後観客Ｐがサーバ３０に自らのＩＤ情報を入力してアクセスすることにより、観客Ｐはサーバ３０のサーバ画像提供部３３から動画または静止画の生成画像を入手することができる。この際、観客Ｐは、予めプリンタ１３により、自らのＩＤ情報を含むＱＲコードをプリントしておき、自分の携帯端末にＱＲコードを読み取らせ、サーバ３０にアクセスすることができる。
【００５２】
あるいは、観客Ｐは座席番号等のＩＤ情報を自分の携帯端末から入力することによりサーバ３０にアクセスしてもよい。
【００５３】
あるいはまた、スタジアム５にプリンタ１３を設置し、プリンタ１３により写真等のプリント物を作製する例を示したが、これに限らずサーバ３０と印刷物作製所９とを接続してもよい（図１参照）。すなわち、図１に示すように観客Ｐがサーバ３０へアクセスすることにより、サーバ３０から生成画像が印刷物作製所９に送られる。この場合、印刷物作製所９に設置された追加プリンタ１３ａにより物品に生成画像を印刷して、生成画像が印刷された印刷物が作製される。生成画像が印刷された印刷物としては、ポスター、ポスターカード、カレンダー、フォトブック、バッチ、マグカップ等が挙げられる。
【００５４】
印刷物作製所９で作製された印刷物は、その後観客Ｐあてに配送される。
【００５５】
あるいはまた、上記実施の形態において、撮影部１１により撮影された動画に基づいて画像データ管理システム２０の画像生成部２４で生成画像を作製し、この生成画像をプリンタ１３側へ送って静止画からなる生成画像の写真等からなるプリント物を作製した例を示した。しかしながら、このプリント物は、撮影部１１により撮影されスクリーン１５に映し出された対象となる注目生成画像１ａと、この注目生成画像１ａの周囲（例えば縦方向５ｍ×横方向１０ｍ周囲）の周囲画像１ｂとの集合画像１を含むものであってもよい。
【符号の説明】
【００５６】
５  スタジアム
９  印刷物作製所
１０  画像提供システム
１１  撮影部
１３  プリンタ
１３ａ  追加プリンタ
１４  顔認証システム
１４ａ  顔認証カメラ
１５  スクリーン
１６  通知手段
２０  画像データ管理システム
２１  送受信部
２２  記憶部
２３Ａ  画像処理部
２３Ｂ  判定部
２３Ｃ  判定結果通知部
２３Ｄ  撮影終了表示部
２４  画像生成部
２５  画像提供部
２６  顔認証部
３０  サーバ
３２  サーバ記憶部
３３  サーバ画像提供部
【図１】
2020061719.tif 000003
【図２】
2020061719.tif 000004
【図３】
2020061719.tif 000005
【図４】
2020061719.tif 000006
【図５】
2020061719.tif 000007
【図６】
2020061719.tif 000008